(57)【要約】【課題】  従来の納骨用名札においては、経年劣化が早く手元供養及び納骨による長期保存に適さなかった。もしくは骨壺及び／又は骨壺カバー（骨壺収納用カバー、骨箱カバー、骨覆、骨壺袋、遺骨袋、骨袋、骨箱）には故人又は亡くなった愛玩動物に関する表示がされておらず、収納されている遺骨の特定が困難であった。【解決手段】  そこで、基材となる繊維製品等に、少なくとも、氏名、愛称等の文字の刺繍を施し、表面及び／又は裏面に光重合により硬化する合成樹脂を配する。よって、故人又は亡くなった愛玩動物に関する表示がなされることを特徴とし、また経年変化による劣化に耐え、高い装飾性を持った納骨用名札となる。 【選択図】    図８
2018180269.tif 000002
【特許請求の範囲】
【請求項１】
人または愛玩動物の骨壺あるいは骨壺を収納する骨壺カバーに設置するための納骨用名札おいて、表面に刺繍技術を用いて、少なくとも文字を配し、表面及び／又は裏面に光重合反応で硬化する性質の合成樹脂を配する納骨用名札。
【請求項２】
請求項１記載の前記納骨用名札の基材は、紙、不織布、繊維、天然樹脂、合成樹脂、軟質プラスチック、木材、樹皮、ゴム、畳表、金属及び皮革から選ばれた１つまたは２つ以上の組合せであることを特徴とする請求項１記載の納骨用名札。
【請求項３】
請求項１記載の前記納骨用名札の基材は、可溶性材料であって、不要部分を除去した物であることを特徴とする請求項１記載の納骨用名札。
【請求項４】
請求項１記載の前記納骨用名札は、裏面に光重合反応で硬化する性質の合成樹脂を配した物であることを特徴とする請求項１記載の納骨用名札。
【発明の詳細な説明】
【技術分野】
【０００１】
本発明は、刺繍により少なくとも文字を配した、人または愛玩動物の骨壺及び／又は骨壺カバー（骨壺収納用カバー、骨箱カバー、骨覆、骨壺袋、遺骨袋、骨袋、骨箱）に設置するための納骨用名札に関するものである。
【背景技術】
【０００２】
従来の納骨用名札においては、優美な布製の骨壺カバーに対して、名と年月日を紙製のシールに手書きで記して貼付する簡素な名札であった。
また、骨壺及び／又は骨壺カバー（骨壺収納用カバー、骨箱カバー、骨覆、骨壺袋、遺骨袋、骨袋、骨箱）には、故人または亡くなった愛玩動物に関する表示がされておらず、外観からは誰の遺骨かの判別が困難であった。
あるいは、紙製のシールを貼付することのできる骨壺及び／又は骨壺カバー（骨壺収納用カバー、骨箱カバー、骨覆、骨壺袋、遺骨袋、骨袋、骨箱）の材質や形状が限られており、また、従来、刺繍を施した布地をワッペン加工する際は、裏面に熱可塑性樹脂を熱圧着させていたため、光熱費及び設備費の負担も多く、作業時間も長く手間もかかり、熱に弱い性質の素材を基材とすることはできず、凹凸のある立体的な刺繍は凹凸が崩れて平面的になっていた。
【０００３】
特許文献１においては、冠婚葬祭用に使用される祝儀袋、不祝儀袋等の金封において使用される金封であり、骨壺及び／又は骨壺カバーに設置されるための納骨用名札ではなかった。
【０００４】
特許文献２においては、巡拝時に携帯するための名札あるいは、特徴ある蓋を持つ骨壺のみに容易に掛けることのできる名札であり、その材質は変形しないことを特徴とする合成樹脂材に限定しているため、形状もしくは材質の異なる骨壺及び／又は骨壺カバーに設置することはできなかった。
【０００５】
特許文献３及び特許文献４においては、高級感の演出を目的とした刺繍または印刷入りの骨箱覆いであり、誰の遺骨であるかの判別は困難であり、形状もしくは材質の異なる骨壺及び／又は骨壺カバーに設置することはできなかった。
【０００６】
特許文献５においては、名札を骨壺カバーに設置する方法の記載はあるが、名札そのものの製造技術については、開示されていない。
【先行技術文献】
【特許文献】
【０００７】
【特許文献１】特開平第０８−２４６３０５号  公報
【特許文献２】実用新案登録第３０９２５０５号  公報
【特許文献３】実用新案登録第３０７８２７６号  公報
【特許文献４】実用新案登録第３０６０４５８号  公報
【特許文献５】実用新案登録第３２０８６２２号  公報
【発明の概要】
【発明が解決しようとする課題】
【０００８】
従来の紙製シールにおいては、経年劣化も早く手元供養及び納骨による長期保存に適さなかった。また、遺骨は故人または愛玩動物の亡骸の一部であることから遺族は特別な感情を抱くものであるが、これでは美観を損ね、上質感のある供養は望めなかった。
また、骨壺及び／又は骨壺カバー（骨壺収納用カバー、骨箱カバー、骨覆、骨壺袋、遺骨袋、骨袋、骨箱）には故人または亡くなった愛玩動物に関する表示がされておらず、収納されている遺骨がどの故人あるいは亡くなった愛玩動物のものかを判別することが困難であった。
【０００９】
あるいは、多様な材質及び形状からなる骨壺及び／又は骨壺カバー（骨壺収納用カバー、骨箱カバー、骨覆、骨壺袋、遺骨袋、骨袋、骨箱）に定着させることが困難であり、また、従来、刺繍を施した布地をワッペン加工する際は、裏面に熱可塑性樹脂を熱圧着させていたため、光熱費や設備費の負担も大きく、作業時間も長く手間もかかり、合皮やビニール等に代表される熱に弱い性質の素材を基材とすることはできず、金糸銀糸を含むポリエステル系の刺繍糸を使用することもできなかった。
また、厚みのあるウレタン樹脂等を用いた凹凸のある立体的な刺繍は、熱圧着により凹凸が崩れてしまった。
【課題を解決するための手段】
【００１０】
そこで、本発明１は、氏名、俗名、戒名、法名、愛称、年齢、享年、生年月日、没年月日、遺言、メッセージ等の文字のうち少なくとも１つ以上の刺繍を施し、表面及び／又は裏面に、光重合反応で硬化する性質の合成樹脂を配するものである。
【００１１】
本発明２は、本発明１において、基材は、紙、不織布、繊維、天然樹脂、合成樹脂、軟質プラスチック、木材、樹皮、ゴム、畳表、金属及び皮革から選ばれた１つ又は２つ以上の組合せとするものである。
【００１２】
本発明３は、本発明１において、基材を可溶性材料とし、不要部分を除去したものである。
【００１３】
本発明４は、本発明１において、裏面に光重合反応で硬化する性質の合成樹脂を配するものである。
【００１４】
表面には、家紋、花模様、イラスト、記号等の図柄の刺繍を施しても良い。
【発明の効果】
【００１５】
本発明の納骨用名札を骨壺及び／又は骨壺カバー（骨壺収納用カバー、骨箱カバー、骨覆、骨壺袋、遺骨袋、骨袋、骨箱）に設置することで、収納されている遺骨がどの故人あるいは亡くなった愛玩動物のものかを判別することが容易になった。
また、繊維製品等へ刺繍技術を用いることで、劣化を抑えて、納骨用名札の上質感及び耐久性を向上させることができるようになった。
【００１６】
あるいは、表面に光重合反応で硬化する性質の合成樹脂を配することで、美しい光沢と形状を作り出すことが可能となり、上質感及び耐久性も、より向上させることができるようになった。
【００１７】
また、可溶性の基材を使用することによって、無駄のない必要な文字や図柄のみを配することもできるようになった。
【００１８】
あるいは、納骨用名札の裏面に、光重合反応で硬化する性質の合成樹脂を配したことで、任意の形状に硬化することが可能となり、それによって、設置する対象に合わせて、金具の取付あるいは接着剤等を使用した貼り付けが容易となり、従来困難であった様々な材質及び形状の布製、陶器製、木製、金属製、樹脂製、石製等の骨壺及び／又は骨壺カバーの任意の位置への設置が可能となった。また、光熱費及び設備費の減少と、作業時間の短縮と手間の軽減、そして、従来の熱圧着方式により製造することが不可能であった、合皮やビニール等に代表される熱に弱い性質の基材並びに糸等の資材を使用することが可能となった。並びに、圧着により潰れていた凹凸のある立体的な刺繍も実現できるようになった。
【００１９】
よって、本発明の刺繍を用いた納骨用名札においては、故人もしくは亡くなった愛玩動物に関する表示がなされていることを特徴とし、経年変化による劣化に耐え、高い装飾性を持つ納骨用名札となる。
【図面の簡単な説明】
【００２０】
【図１】実施例である基材を畳表とした納骨用名札の表面図である。
【図２】実施例である（図１）納骨用名札の裏面図である。
【図３】実施例である（図１）納骨用名札の側面図である。
【図４】実施例である（図１）納骨用名札を陶器製の骨壺の外面に設置した正面図である。
【図５】実施例である基材を溶解させた納骨用名札の表面図である。
【図６】実施例である（図５）納骨用名札を金属製の骨箱の外面に設置した正面図である。
【図７】実施例である基材を合成皮革とした納骨用名札の表面図である。
【図８】実施例である（図７）納骨用名札の側面図である。
【図９】実施例である（図７）納骨用名札を繊維製の骨壺カバーの外面に設置した正面図である。
【発明を実施するための形態】
【００２１】
以下、図面に基づいて本発明の実施例について詳細に説明する。
図１は、実施例に係る文字と図案の刺繍をい草製畳表の表面に施して、裏面に、光重合反応で硬化する性質の合成樹脂を塗布した後に、紫外線で３０秒照射させた納骨用名札の正面図である。
なお実施例は、薄さを表現し、かつ柔らかく硬化させることのできる合成樹脂を塗布した。
この実施例においては、活字等の印刷で用いられる文字を元に刺繍しているが、手書きの文字に基づいて刺繍しても良い。
【００２２】
納骨用名札の基材となるのは、紙、不織布、繊維、天然樹脂、合成樹脂、軟質プラスチック、木材、樹皮、ゴム製品、畳表、金属及び皮革の刺繍が可能な材料であり、それらを組み合わせて基材とすることもできる。
設置する光重合反応で硬化する性質の合成樹脂は、成分、形状及び配するための方法を限定しない。
【００２３】
図２は、図１の納骨用名札の裏面図である。
【００２４】
図３は、図１の側面図である。
【００２５】
図４は、図１の納骨用名札を、まず陶器製の骨壺に合わせて形を整え、次に接着剤を薄く塗布して、設置した実施例である。
【００２６】
図５は、水溶紙の上に、主成分をポリエチレンビニールアセテートとする厚みと弾力性、及び柔軟性のあるウレタンを重ねたものを基材として、実施例に係る文字の刺繍を施した後に、まず不要なウレタンを剥ぎ取り、次に裏面に、光重合反応で柔軟性を残して硬化するタイプの合成樹脂を文字の形に合わせて細い筆を用いて塗布し、LED光重合機を１０秒照射し硬化させた後に、水に浸して不要なビニール部分を溶解除去した納骨用名札の正面図である。
なお実施例は、薄さを表現し、かつ柔らかく硬化させることのできる合成樹脂を塗布した。
【００２７】
図６は、図５の納骨用名札を金属製の円柱型の骨箱に合わせて形を整え、次に接着剤を薄く塗布して設置した実施例である。
【００２８】
図７は、合成皮革を基材として刺繍を施した後に、表面及び裏面に光重合反応で硬化する性質の合成樹脂を塗布した後に、紫外線を３０秒照射させて、硬化させたものである。
なお実施例の表面には、透明で、厚みの再現ができる硬く硬化させるタイプの合成樹脂を塗布して、ドーム状の美しい形状を作り出すことができた。裏面は、薄く塗布できるタイプの合成樹脂を塗布した。
【００２９】
図８は、図７の納骨用名札の側面図である。
【００３０】
図９は、図７の納骨用名札の裏面に、接着剤を両面に塗布したフィルムを貼り付け、厚みのある繊維製の骨壺カバーにしっかりと定着させたものである。
【００３１】
なお、本発明は、上記実施例に限定されるものではなく、発明の要旨の範囲内で種々の変形が可能である。例えば、上記実施例の図１では、納骨用名札の形状を長方形としたが、このような形状に限られず、正方形、円、楕円、花や人や動物を模った形、文字を模った形等の変形、縦横の制限、大きさ、厚さに制限を設けない。
また、光重合反応で硬化する性質の合成樹脂は着色することも可能である。
【符号の説明】
【００３２】
１０  基材を畳表とする納骨用名札
１１  文字と図柄
１２  刺繍を施した基材
１３  光重合反応で硬化する性質の合成樹脂
１４  陶器製の骨壺
１５  溶解した基材からなる納骨用名札
１６  金属製の円柱型骨箱
１７  基材を合成皮革とする納骨用名札
１８  繊維製の骨壺カバー
【図１】
2018180269.tif 000003
【図２】
2018180269.tif 000004
【図３】
2018180269.tif 000005
【図４】
2018180269.tif 000006
【図５】
2018180269.tif 000007
【図６】
2018180269.tif 000008
【図７】
2018180269.tif 000009
【図８】
2018180269.tif 000010
【図９】
2018180269.tif 000011
【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
人または愛玩動物の骨壺あるいは骨壺を収納する骨壺カバーに設置するための納骨用名札おいて、表面に刺繍技術を用いて、少なくとも文字を配し、少なくとも裏面に光重合反応で硬化する性質の合成樹脂を配する納骨用名札
【請求項２】
請求項１記載の前記納骨用名札の基材は、紙、不織布、繊維、天然樹脂、合成樹脂、軟質プラスチック、木材、樹皮、ゴム、畳表、金属及び皮革から選ばれた１つまたは２つ以上の組合せであることを特徴とする請求項１記載の納骨用名札
【請求項３】
請求項１記載の前記納骨用名札の基材は、可溶性材料であって、不要部分を除去した物であることを特徴とする請求項１記載の納骨用名札